(57)【要約】      （修正有）【課題】血行促進、代謝促進などに有効なチタン素材やゲルマニウム系素材を、より簡便な方法で、疲労などの発生しやすい靴下の足底部に応用した、健康用靴下を提供する。【解決手段】チタン系素材乃至ゲルマニウム系素材から選ばれた少なくとも一種の無機物を含有する高分子材料からなる固形物を付着させたチタン系素材乃至ゲルマニウム系素材から選ばれた少なくとも一種の無機物を含有する高分子材料からなる固形物を付着させる箇所が靴下の足底部分であり、着用時に、直接肌と接触しない面に、チタン系素材乃至ゲルマニウム系素材から選ばれた少なくとも一種の無機物を含有する高分子材料からなる固形物を付着させたことを特徴とする健康用靴下である。【選択図】図１
0003109758.tif 000002
【実用新案登録請求の範囲】
【請求項１】
チタン系素材乃至ゲルマニウム系素材から選ばれた少なくとも一種の無機物を含有する高分子材料からなる固形物を付着させたことを特徴とする健康用靴下。
【請求項２】
請求項１において、チタン系素材乃至ゲルマニウム系素材から選ばれた少なくとも一種の無機物を含有する高分子材料からなる固形物を付着させる箇所が靴下の足底部分であることを特徴とする健康用靴下。
【請求項３】
請求項１、２において、着用時に、直接肌と接触しない面に、チタン系素材乃至ゲルマニウム系素材から選ばれた少なくとも一種の無機物を含有する高分子材料からなる固形物を付着させたことを特徴とする健康用靴下。
【請求項４】
請求項１、２、３において、高分子材料は、架橋した高分子であることを特徴とする健康用靴下。
【請求項５】
請求項１、２、３、４において、チタン系素材乃至ゲルマニウム系素材から選ばれた無機物は、平均粒度が１〜３０μｍであることを特徴とする健康用靴下。
【請求項６】
請求項１、２、３、において、チタン系素材乃至ゲルマニウム系素材から選ばれた無機物の混合割合が、高分子材料と無機物からなる固形物に対して、２０〜６０％であることを特徴とする健康用靴下。
【考案の詳細な説明】
【技術分野】
【０００１】
本考案は、健康用靴下に関する。
【背景技術】
【０００２】
血行促進、代謝促進のため、最近チタン系素材、ゲルマニウム系素材が注目されている。これら素材は血行促進、鎮静、吸熱などの作用を有する。そして、これらの作用は、これら素材が皮膚と直接接触しない場合でも有効とされる。
【０００３】
従来、チタン系素材を繊維製品に応用しようとする試みがなされている。即ち、芯・鞘型繊維である複合繊維において、芯には、炭化チタン粉末を含む熱可塑性線状重合体とし、鞘には、炭化チタンを含まない熱可塑性線状重合体からなる繊維を用いる健康用布帛が開示されている（特許文献１）。
しかし、炭化チタンを含む芯・鞘型繊維は、製造に際して、炭化チタンの粒子の分散が重要で、ノズル詰まりや、フィルタ詰まりを起こしやすく、芯・鞘型繊維の安定生産が難しい難点がある。そこで本考案者らは、多重に重ね合わせた編地製品において、重ね合わせた編地の内側に、チタン系素材乃至ゲルマニウム系素材から選ばれた少なくとも一種の無機物を含有する高分子材料からなる突起状固形物を設けたことを特徴とする健康用編織物に関する実用新案登録出願を行った（特許文献２）。しかし、なお、着用時に折り曲げて使用するなどの制約が必要であった。
【０００４】
【特許文献１】：特開２００３−１９２１２号公報
【特許文献２】：登録実用新案３１０２８７８号公報
【考案の開示】
【考案が解決しようとする課題】
【０００５】
本考案の目的は、血行促進、代謝促進などに有効なチタン系素材やゲルマニウム系素材を、より簡便な方法で、疲労などの発生しやすい靴下の足底部に応用した、健康用靴下を提供することである。
【課題を解決するための手段】
【０００６】
上記目的を達成するため、本考案の健康用靴下は、
（１）  チタン系素材乃至ゲルマニウム系素材から選ばれた少なくとも一種の無機物を含有する高分子材料からなる固形物を付着させたことを特徴とする、
（２）  （１）において、チタン系素材乃至ゲルマニウム系素材から選ばれた少なくとも一種の無機物を含有する高分子材料からなる固形物を付着させる箇所が靴下の足底部分であることを特徴とする、
（３）  （１）、（２）において、着用時に、直接肌と接触しない面に、チタン系素材乃至ゲルマニウム系素材から選ばれた少なくとも一種の無機物を含有する高分子材料からなる固形物を付着させたことを特徴とする、
（４）  （１）、（２）、（３）において、高分子材料は、架橋した高分子であることを特徴とする、
（５）  （１）、（２）、（３）、（４）において、チタン系素材乃至ゲルマニウム系素材から選ばれた無機物は、平均粒度が１〜３０μｍであることを特徴とする、
（６）（１）、（２）、（３）において、チタン系素材乃至ゲルマニウム系素材から選ばれた無機物の混合割合が、高分子材料と無機物からなる固形物に対して、２０〜６０％であることを特徴とする
健康用靴下である。
【０００７】
本考案では、チタン系素材、ゲルマニウム系素材から選ばれた少なくとも一種の無機物が使用される。無機物としては、チタン系素材、ゲルマニウム系素材、トルマリン、モナザイト、バイオセラミックスをあげることができる。
ここに、チタン系素材としては、金属チタンあるいはチタンを含有するチタン化合物、チタン合金である。チタン化合物としては、酸化チタン、炭化チタン、窒化チタンなどである。チタン合金としては、銅、スズ、鉄、アルミニウム、クロム、コバルト、モリブデン、タングステンなどの金属とチタンの合金をあげることができる。
そして、これらのチタン系素材は、好ましくは、粒子の形で使用される。高分子化合物などとの混合が容易になるからである。  
【０００８】
本考案で用いるゲルマニウム系素材としては、ゲルマニウムをおそらくは化合物の形で含有するゲルマニウム鉱物である。
ゲルマニウム化合物としては、酸化ゲルマニウムなどである。
【０００９】
本考案では、ゲルマニウム系素材、チタン素材とトルマリンを併用することができる。トルマリンは、別名電気石といわれ主成分として、Ａｌ、Ｂ、Ｓｉを有する。
種類としは、ショールトルマリン、リチアトルマリン、ドラバイトトルマリンがある。トルマリンはモース硬度７〜７．５、比重３〜３．３の六方晶系の鉱石である。トルマリンの特徴は、特有のマイナスイオンを作り出し、体質改善に有効とされることである。
【００１０】
本考案では、ゲルマニウム系素材、チタン素材と、モナザイトを併用することができる。モナザイトは、トリウム鉱石の一種で、花崗岩ペグマタイト（巨晶）中に産出する。褐色柱状又は板状の結晶で透明感がある。ウラニウムを含み、放射線で長石を赤くし、石英を黒く変色させる性質がある。また本考案では、リン酸カルシウムなどのバイオセラミックスを併用することもできる。そして、チタン系素材乃至ゲルマニウム系素材から選ばれた無機物は、平均粒度が１〜３０μｍであることが好ましい。１μｍ以下では粉砕が困難であるし、３０μｍ以上では重量あたりの表面積が小さくなり、健康増進効果が低下するからである。
【００１１】
本考案で使用される高分子化合物としては、エポキシ樹脂、ブチラール樹脂、アクリル樹脂、メトキシメチル化ナイロンなど接着性にすぐれた樹脂や、シリコンゴム、ウレタンゴム、ブチルゴムなどゴムを使用することができる。しかし、繰り返し洗濯などに耐える必要があり、架橋した高分子が好ましい。そして、チタン系素材、ゲルマニウム系素材との混合が容易となるため、カルボキシル基、アミノ基、水酸基などの極性基を有することが好ましい。
【００１２】
本考案の健康用編織物作成に使用される繊維としては、ポリエステル繊維、ナイロン６繊維、ナイロン６６繊維、アクリル繊維、木綿、ポリウレタン繊維などをあげることができる。しかし、耐磨耗性がすぐれているため、ナイロン６、ナイロン６６が好ましい。
【００１３】
チタン系素材乃至ゲルマニウム系素材から選ばれた少なくとも一種の無機物を含有する高分子材料からなる固形物は、好ましくは肌と接しない反対側の表面に作成される。肌と接する側に形成されると、固形物が肌を、物理的に刺激しやすく、好ましくないからである。
【００１４】
チタン系素材乃至ゲルマニウム系素材から選ばれた少なくとも一種の無機物を含有する高分子材料からなる固形物が、靴下の足底部分に形成されることにより、足裏の所謂ツボを刺激することも可能であり、健康に対しすぐれた効果を与えることが可能である。
【００１５】
固形物の形成方法としては、チタン系素材乃至ゲルマニウム系素材から選ばれた少なくとも一種の無機物を含有する高分子材料からなる溶液をマスク印刷、スクリーン印刷などの手法で印刷し、高分子材料を架橋し硬化させることで行われる。そして、固形物は、文字・図柄となる。
【００１６】
チタン系素材乃至ゲルマニウム系素材から選ばれた無機物の混合割合が、高分子材料と無機物からなる固形に対して、２０〜６０％であることが好ましい。２０％より少なくなると効果が少なくなるし、６０％より多くなると無機物の混合が困難となるからである。
【考案を実施するための最良の形態】
【００１７】
以下に、本考案の実施例に就いて、説明する。
まず、固形物形成のため、次の組成の原料を配合する。ここに「部」とは、重量部である。
未加硫のシリコン生ゴム                    ６５．５部
シリコンゴム硬化剤                          ０．５部
トルマリン                                  ７    部
モナザイト                                  ６    部
バイオセラミックス                          ７    部
ゲルマニウム                                ６    部
チタン                                      ８    部
合計                                    １００    部
を混合し、加工剤組成物Ａを作成する。
【００１８】
次に、ナイロン６からなる靴下を作成する。次に上記加工剤組成物Ａを、靴下の足底部分にスクリーン印刷により印刷し、過熱架橋処理を行う。図１は足底部分３に、チタン系素材乃至ゲルマニウム系素材から選ばれた少なくとも一種の無機物を含有する高分子材料からなる固形物１を付着させた靴下２の正面図である。
図２は、靴下を構成する編地の上にチタン系素材乃至ゲルマニウム系素材から選ばれた少なくとも一種の無機物を含有する高分子材料からなる固形物１を付着させた状態を示す模式図である。即ち靴下は繊維から編成されているが、この上に前記の固形物１が形成されるのである。そして固形物により文字が形成される。
【００１９】
未硬化のエポキシ樹脂                      ７３．５部
硬化触媒剤                                  ０．５部
トルマリン                                  ７    部
モナザイト                                  ６    部
バイオセラミックス                          ７    部
ゲルマニウム                                ６    部
合計                                    １００    部
を混合し、加工剤組成物Ｂを作成する。加工剤組成物Ｂを用いて同様に健康用靴下が作成される。
【００２０】
メトキシメチルナイロン                    ７２．５部
触媒                                        ０．５部
モナザイト                                  ６    部
バイオセラミックス                          ７    部
ゲルマニウム                                ６    部
チタン                                      ８    部
合計                                    １００    部
を混合し、加工剤組成物Ｃを作成する。加工剤組成物Ｃを用いて同様に健康用靴下が作成される。
【００２１】
以上の説明によって明らかな様に、本考案による健康用靴下は以下のような効果を有する。
（ａ）  ゲルマニウム鉱物の効果により、自律神経の調整などの作用を有する。また半導体の特性から体内の活性酸素と結合し体外に運び出す効果が期待される。
（ｂ）  トルマリン鉱物の効果により、特有のマイナスイオンを作り出し体質改善効果が期待される。
（ｃ）  チタン素材の効果により、血行促進、代謝促進、鎮静、吸熱などの効果を有し、健康増進に有用である。
（ｄ）  ゲルマニウム系素材乃至チタン素材などを含む固形物により適度の刺激が与えられ、健康によい。
【図面の簡単な説明】
【００２２】
【図１】チタン系素材乃至ゲルマニウム系素材から選ばれた少なくとも一種の無機物を含有する高分子材料からなる固形物を付着させた本考案靴下の正面図である。
【図２】チタン系素材乃至ゲルマニウム系素材から選ばれた少なくとも一種の無機物を含有する高分子材料からなる固形物を付着させた編地組織の模式図である。
【符号の説明】
【００２３】
１    固形物
２    靴下
３    足底部分
４    繊維
【図２】
0003109758.tif 000003
【図１】
0003109758.tif 000004